(57)【要約】      （修正有）【課題】庇フレームの展開及び展開角度の調整をテント本体の展開と独立して行うことが可能な庇付き折り畳み式テントを提供する。【解決手段】庇フレーム４０は、一端部が一対の支柱１０の一方の上端部に回動可能に取り付けられ、他端部が一対の支柱１０の他方の上端部に回動可能に取り付けられた庇フレーム本体４２と、一対の支柱１０にそれぞれ設けられ、庇フレーム本体４２を支持する支持フレーム４４とを備え、支持フレーム４４が、それぞれ、一端部が庇フレーム本体４２に回動可能に連結されると共に、他端部が支柱１０に回動可能に連結され、かつ、軸方向に沿って伸縮可能に構成されている。【選択図】図１
0003209281.tif 000002
【実用新案登録請求の範囲】
【請求項１】
屋根フレーム、前記屋根フレームを支持する少なくとも３本の支柱、及び、隣接する前記支柱同士を連結する横方向フレームを備えるテント本体と、
前記テント本体の外側に延出するよう、一対の前記支柱間に架け渡された庇フレームと
を備え、
前記屋根フレーム及び前記庇フレームによって天幕を展張して支持する庇付き折り畳み式テントであって、
前記庇フレームは、
一端部が前記一対の支柱の一方の上端部に回動可能に取り付けられ、他端部が前記一対の支柱の他方の上端部に回動可能に取り付けられた庇フレーム本体と、
前記一対の支柱にそれぞれ設けられ、前記庇フレーム本体を支持する支持フレームと
を備え、
前記支持フレームは、それぞれ、一端部が前記庇フレーム本体に回動可能に連結されると共に、他端部が前記支柱に回動可能に連結され、かつ、軸方向に沿って伸縮可能に構成されている
ことを特徴とする庇付き折り畳み式テント。
【請求項２】
前記支持フレームは、前記庇フレーム本体及び前記支柱のいずれか一方に連結された外筒部材と、該外筒部材内に摺動可能に収容され、前記庇フレーム本体及び前記支柱のいずれか他方に連結された内筒部材とを備え、該内筒部材が該外筒部材に対して摺動することで、軸方向に沿って伸縮可能に構成されている
ことを特徴とする請求項１に記載の庇付き折り畳み式テント。
【請求項３】
前記支柱は、平面四方形の四隅に位置するよう４本設けられ、
前記庇フレームは、互いに反対方向に延出するよう、少なくとも一対設けられており、
各庇フレームの前記庇フレーム本体は、互いに独立して回動可能に構成されている
ことを特徴とする請求項１又は２に記載の庇付き折り畳み式テント。
【考案の詳細な説明】
【技術分野】
【０００１】
本考案は、庇付き折り畳み式テントに関するものである。
【背景技術】
【０００２】
従来、図６に示すように、四隅に立設される４本の支柱１０２と、周方向に隣接する支柱１０２同士を連結する伸縮可能な横方向トラスフレーム１０４と、対角線上に位置する支柱１０２同士を連結する屋根フレーム１０６と、支柱１０２毎に設けられた固定ブラケット１０８、可動ブラケット１１０、屋根用支持フレーム１１２、庇フレーム本体１１４及び庇用支持フレーム１１６と、屋根フレーム１０６及び４つの庇フレーム本体１１４を連続して覆うよう張設される天幕１１８とを備える庇付き折り畳み式テント１００が知られている（特許文献１）。
【０００３】
特許文献１の庇付き折り畳み式テント１００において、固定ブラケット１０８は、各支柱１０２の上部に固設されており、可動ブラケット１１０は、各支柱１０２に摺動可能に取り付けられている。屋根フレーム１０６は、各端部がそれぞれ各支柱１０２の固定ブラケット１０８に連結されており、屋根用支持フレーム１１２は、一端が可動ブラケット１１０に連結され、他端が屋根フレーム１０６に連結されている。横方向トラスフレーム１０４は、長手方向の各端部における上側端部が固定ブラケット１０８に連結され、下側端部が可動ブラケット１１０に連結されている。庇フレーム本体１１４は、４本の支柱１０２によって囲まれた領域の外側に延在するよう一端が固定ブラケット１０８に連結されており、庇用支持フレーム１１６は、一端が可動ブラケット１１０に連結され、他端が庇フレーム本体１１４に連結されている。
【０００４】
このような構成を備えることにより、特許文献１の庇付き折り畳み式テント１００は、４本の支柱１０２を互いに離間させるという動作によって、横方向トラスフレーム１０４が伸長され、この横方向トラスフレーム１０４の伸長に伴って可動ブラケット１１０が固定ブラケット１０８に接近する方向に向けて摺動されることで、屋根用支持フレーム１１２によって屋根フレーム１０６が展開されると共に、庇用支持フレーム１１６によって庇フレーム本体１１４が展開されるよう構成されている。すなわち、特許文献１の庇付き折り畳み式テント１００は、横方向トラスフレーム１０４と、屋根用支持フレーム１１２と、庇用支持フレーム１１６とを共通の可動ブラケット１１０に連結させることにより、４本の支柱１０２を互いに離間させるという動作に連動して、横方向トラスフレーム１０４の伸長と、屋根フレーム１０６及び庇フレーム本体１１４の展開とを同時並行で実行するよう構成されている。
【先行技術文献】
【特許文献】
【０００５】
【特許文献１】特開２００７−２３６９７号公報
【考案の概要】
【考案が解決しようとする課題】
【０００６】
しかしながら、特許文献１の庇付き折り畳み式テント１００では、テントの展開時に必ず庇フレーム本体１１４が展開されるため、テントの本体部分（支柱１０２、横方向トラスフレーム１０４及び屋根フレーム１０６）を展開しつつ、庇フレーム本体１１４のみを折り畳むことができないという問題がある。なお、特許文献１では、横方向トラスフレーム１０４の下側端部が連結される可動ブラケットと、庇用支持フレーム１１６が連結される可動ブラケットとを別体にした代替例が提案されているものの（特許文献１の段落［００１８］及び図５）、この代替例では、庇用支持フレーム１１６が連結される可動ブラケットが横方向トラスフレーム１０４の下側端部が連結される可動ブラケットよりも固定ブラケット側に配設されているため、依然として、横方向トラスフレーム１０４の伸長に伴って庇フレーム本体１１４が展開されるものである。
【０００７】
そこで、本考案は、庇フレームの展開及び展開角度の調整をテント本体の展開と独立して行うことが可能な庇付き折り畳み式テントを提供することを目的とする。
【課題を解決するための手段】
【０００８】
以上の目的を達成するため、本考案に係る庇付き折り畳み式テントは、屋根フレーム、前記屋根フレームを支持する少なくとも３本の支柱、及び、隣接する前記支柱同士を連結する横方向フレームを備えるテント本体と、前記テント本体の外側に延出するよう、一対の前記支柱間に架け渡された庇フレームとを備え、前記屋根フレーム及び前記庇フレームによって天幕を展張して支持する庇付き折り畳み式テントであって、前記庇フレームは、一端部が前記一対の支柱の一方の上端部に回動可能に取り付けられ、他端部が前記一対の支柱の他方の上端部に回動可能に取り付けられた庇フレーム本体と、前記一対の支柱にそれぞれ設けられ、前記庇フレーム本体を支持する支持フレームとを備え、前記支持フレームは、それぞれ、一端部が前記庇フレーム本体に回動可能に連結されると共に、他端部が前記支柱に回動可能に連結され、かつ、軸方向に沿って伸縮可能に構成されていることを特徴とする。
【０００９】
本考案に係る庇付き折り畳み式テントにおいて、前記支持フレームは、前記庇フレーム本体及び前記支柱のいずれか一方に連結された外筒部材と、該外筒部材内に摺動可能に収容され、前記庇フレーム本体及び前記支柱のいずれか他方に連結された内筒部材とを備え、該内筒部材が該外筒部材に対して摺動することで、軸方向に沿って伸縮可能に構成されることが好ましい。
【００１０】
また、本考案に係る庇付き折り畳み式テントにおいて、前記支柱は、平面四方形の四隅に位置するよう４本設けられ、前記庇フレームは、互いに反対方向に延出するよう、少なくとも一対設けられており、各庇フレームの前記庇フレーム本体は、互いに独立して回動可能に構成されることが好ましい。
【考案の効果】
【００１１】
本考案によれば、庇フレームの展開及び展開角度の調整をテント本体の展開と独立して行うことが可能な庇付き折り畳み式テントを提供することができる。
【図面の簡単な説明】
【００１２】
【図１】本考案の一実施形態に係る庇付き折り畳み式テントを概略的に示す斜視図である。
【図２】支柱の上端部近傍を拡大して示す部分拡大図である。
【図３】庇フレーム本体の概略構成を示す図である。
【図４】図４（ａ）及び図４（ｂ）は、庇フレームの展開角度を変化させた状態の一例を示す部分拡大図であり、図４（ｃ）は、庇フレームの非展開状態を示す部分拡大図である。
【図５】図５（ａ）は、テント本体及び庇フレームを展開させた使用状態を示す平面図であり、図５（ｂ）は、図５（ａ）の状態の庇付き折り畳み式テントの正面図である。
【図６】図６（ａ）は、従来の庇付き折り畳み式テントを示す平面図であり、図６（ｂ）は、図６（ａ）の状態の庇付き折り畳み式テントの正面図である。
【考案を実施するための形態】
【００１３】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１４】
本実施形態に係る庇付き折り畳み式テント１は、図１に示すように、折り畳み可能かつ展開時に自立可能に構成されたテント本体４と、テント本体４の外側に延出するよう設けられた左右一対の庇フレーム４０とを備えている。
【００１５】
テント本体４は、左右一対の庇フレーム４０と共に天幕２（図５参照）を展張して支持可能な屋根フレーム３０と、屋根フレーム３０を支持する複数の支柱１０と、周方向に隣接する支柱１０同士を連結する横方向フレーム２０とを備えている。なお、本実施形態に係る庇付き折り畳み式テント１において、テント本体４は、種々の公知の構成を採用することが可能である。以下、テント本体４の構成について一例を挙げて説明するが、当該構成に限定されるものではない。
【００１６】
支柱１０は、図１に示すように、平面四方形の四隅に位置するよう４本設けられている。各支柱１０は、長尺な筒状に形成された外側パイプ部材１２ａと、外側パイプ部材１２ａ内に入れ子状に収容され、外側パイプ部材１２ａの軸方向に沿って摺動可能な内側パイプ部材１２ｂと、外側パイプ部材１２ａの軸方向の所定又は任意の位置において外側パイプ部材１２ａに対して内側パイプ部材１２ｂを固定する固定部材１２ｃとを備えている。固定部材１２ｃは、少なくとも、外側パイプ部材１２ａから内側パイプ部材１２ｂが略完全に露出した伸長状態と、外側パイプ部材１２ａ内に内側パイプ部材１２ｂが略完全に収納された収納状態とにおいて内側パイプ部材１２ｂを固定し、外側パイプ部材１２ａに対する内側パイプ部材１２ｂの相対移動を規制するよう構成されている。
【００１７】
各支柱１０には、図２に示すように、その上端部に、テント本体用固定ブラケット１３ａが固設されており、このテント本体用固定ブラケット１３ａよりも下方側に、テント本体用可動ブラケット１３ｂが摺動可能に取り付けられている。テント本体用固定ブラケット１３ａには、横方向トラスフレーム２０の長手方向の各端部における上側端部２０ａ、屋根フレーム３０の後述する屋根フレーム本体３２及び庇フレーム４０の後述する庇フレーム本体４２が回動自在に軸支されている。テント本体用可動ブラケット１３ｂには、横方向トラスフレーム２０の長手方向の各端部における下側端部２０ｂ及び屋根フレーム３０の後述する屋根用支持フレーム３４が回動自在に軸支されている。
【００１８】
各横方向フレーム２０は、図１に示すように、２本の棒状フレーム２１ａ，２１ｂを交差させ、その交差部を軸によって回動自在に連結することで形成されたＸ字状のフレーム体２１を長手方向に複数（本実施形態では３つ）連結させ、これにより全体としてパンタグラフのように伸縮可能に構成された所謂トラスフレームである。棒状フレーム２１ａ，２１ｂは、折り畳み時の収容性の観点から、それぞれ、支柱１０の外側パイプ部材１２ａの軸方向の長さと略同じ又はこれよりも短い軸方向の長さを有することが好ましい。
【００１９】
屋根フレーム３０は、図１に示すように、対角線上に位置する支柱１０同士を連結することでドーム型の屋根構造を形成するよう構成されている。具体的には、屋根フレーム３０は、一端が各支柱１０のテント本体用固定ブラケット１３ａに軸支され、他端がテント本体４の平面視での中心位置において互いに連結された４本の屋根フレーム本体３２と、一端が各支柱１０のテント本体用可動ブラケット１３ｂに軸支され、他端が屋根フレーム本体３２に連結された４本の屋根用支持フレーム３４とを備えている。各屋根フレーム本体３２は、軸方向に連続し、かつ、互いに回動して折り畳み可能となるよう連結された２本の棒状フレーム３２ａ，３２ｂから構成されている。棒状フレーム３２ａ，３２ｂは、折り畳み時の収容性の観点から、それぞれ、支柱１０の外側パイプ部材１２ａの軸方向の長さと略同じ又はこれよりも短い軸方向の長さを有することが好ましい。
【００２０】
以上の構成を備えるテント本体４は、特許文献１の庇付き折り畳み式テント１００と同様に、４本の支柱１０を互いに離間させることで、横方向トラスフレーム２０を伸長させ、これによってテント本体用可動ブラケット１３ｂをテント本体用固定ブラケット１３ａに接近する方向に向けて摺動させることで、屋根用支持フレーム３４によって屋根フレーム本体３２を展開させるよう構成されている。すなわち、本実施形態に係るテント本体４は、４本の支柱１０を互いに離間させるという動作によって、横方向トラスフレーム２０の伸長と、屋根フレーム３０の展開とを連動して実現するように構成されている。
【００２１】
左右一対の庇フレーム４０は、図１に示すように、テント本体４の外側、すなわち、４本の支柱１０によって囲まれた領域の外側に互いに反対方向に延出するよう、それぞれ、一対の支柱１０間に架け渡されている。
【００２２】
各庇フレーム４０は、図１及び図２に示すように、一対の支柱１０間に架け渡された略コ字状の庇フレーム本体４２と、各支柱１０に設けられ、庇フレーム本体４２を支持する庇用支持フレーム（支持フレーム）４４とを備えている。
【００２３】
庇フレーム本体４２は、図３に示すように、一端部が一対の支柱１０の一方のテント本体用固定ブラケット１３ａに回動可能に取り付けられた略Ｌ字状の第１フレーム部材４２ａと、一端部が一対の支柱１０の他方のテント本体用固定ブラケット１３ａに回動可能に取り付けられた略Ｌ字状の第２フレーム部材４２ｂとを備えている。第１フレーム部材４２ａの他端部近傍は、外側パイプ部材４３ａ内に内側パイプ部材４３ｂが摺動可能に収容された二重筒構造を有しており、内側パイプ部材４３ｂが外側パイプ部材４３ａに対して摺動することで軸方向の長さが変位するよう構成されている。第２フレーム部材４２ｂの他端部４３ｃは、第１フレーム部材４２ａの内側パイプ部材４３ｂが挿入可能かつ挿入された内側パイプ部材４３ｂと係合可能に構成されている。庇フレーム本体４２は、第１フレーム部材４２ａの外側パイプ部材４３ａから進出した内側パイプ部材４３ｂが第２フレーム部材４２ｂの他端部４３ｃに連結されることにより、全体として略コ字状となるよう構成されている。第１フレーム部材４２ａ及び第２フレーム部材４２ｂは、それぞれ、略Ｉ字状となるよう折り畳み可能に構成されている。これら第１フレーム部材４２ａ及び第２フレーム部材４２ｂは、折り畳み時の収容性の観点から、それぞれ、略Ｉ字状に折り畳まれた状態において、支柱１０の外側パイプ部材１２ａの軸方向の長さと略同じ又はこれよりも短い軸方向の長さを有することが好ましい。
【００２４】
庇用支持フレーム４４は、図２に示すように、一端部が庇フレーム本体４２に回動可能に連結され、他端部が各支柱１０の固定部材１２ｃに回動可能に連結されている。
【００２５】
各庇用支持フレーム４４は、長尺な筒状に形成された外筒部材４４ａと、外筒部材４４ａ内に入れ子状に収容され、外筒部材４４ａの軸方向に沿って摺動可能な内筒部材４４ｂと、外筒部材４４ａの軸方向の所定又は任意の位置において外筒部材４４ａに対して内筒部材４４ｂを固定する固定部材４４ｃとを備えており、内筒部材４４ｂが外筒部材４４ａに対して摺動することで、軸方向に沿って伸縮可能に構成されている。外筒部材４４ａ及び内筒部材４４ｂは、折り畳み時の収容性の観点から、それぞれ、支柱１０の外側パイプ部材１２ａの軸方向の長さと略同じ又はこれよりも短い軸方向の長さを有することが好ましい。
【００２６】
外筒部材４４ａは、下端部が支柱１０の固定部材１２ｃに回動可能に連結されている。内筒部材４４ｂは、上端部が庇フレーム本体４２に回動可能に連結されている。固定部材４４ｃは、少なくとも、外筒部材４４ａから内筒部材４４ｂが略完全に露出した伸長状態（図２参照）と、外筒部材４４ａ内に内筒部材４４ｂが略完全に収納された収納状態（図４（ｃ）参照）との間の所定又は任意の位置において内筒部材４４ｂを固定し、外筒部材４４ａに対する内筒部材４４ｂの相対移動を規制するよう構成されている。固定部材４４ｃは、例えば、外筒部材４４ａ及び内筒部材４４ｂのいずれか一方に設けられた係合突起部と、外筒部材４４ａ及び内筒部材４４ｂのいずれか他方に形成された係合孔部とを係合させることにより固定する構成等の種々の構成を採用することが可能である。なお、固定部材４４ｃが係合突起部及び係合孔部で構成される場合には、係合突起部は、例えば、係合孔部と整合する位置に到達した際にバネ部材等による付勢力により係合孔部と係合することで、外筒部材４４ａに対する内筒部材４４ｂの摺動を阻止し、外力によって押し込まれた際に係合孔部との係合が解除され、これにより外筒部材４４ａに対する内筒部材４４ｂの摺動を許容する構成等を採用することが可能である。また、この係合突起部を庇用支持フレーム４４の軸方向に所定の間隔をおいて複数設けることで、庇フレーム本体４２の展開角度（傾斜角度）を多段階的に調整可能とすることも可能である。
【００２７】
庇用支持フレーム４４は、図２、図４（ａ）及び図４（ｂ）に示すように、内筒部材４４ｂを外筒部材４４ａに対して摺動させ、軸方向の全長を変化させることにより、庇フレーム本体４２の展開角度（傾斜角度）を多段階的に調整可能に構成されている。具体的には、図２に示すように、外筒部材４４ａから内筒部材４４ｂを略完全に露出させた状態で固定部材４４ｃによって固定し、各庇用支持フレーム４４を伸長状態とすることにより、庇フレーム本体４２が略水平に展開した最大展開状態とすることができる。また、この伸長状態よりも内筒部材４４ｂを外筒部材４４ａ内にやや収容させた状態で固定部材４４ｃによって固定することにより、図４（ａ）に示すように、庇フレーム本体４２が比較的緩やかな傾斜角度で展開した状態とすることができる。さらに、この状態よりも内筒部材４４ｂを外筒部材４４ａ内にさらに収容させた状態で固定部材４４ｃによって固定することにより、図４（ｂ）に示すように、庇フレーム本体４２が比較的急な傾斜角度で展開した状態とすることができる。またさらに、庇用支持フレーム４４は、図４（ｃ）に示すように、外筒部材４４ａ内に内筒部材４４ｂを略完全に収納することにより、庇フレーム本体４２をテント本体４に対して折り畳むことができる。
【００２８】
天幕２は、図５（ａ）及び図５（ｂ）に示すように、屋根フレーム３０及び左右一対の庇フレーム４０の上部と、横方向トラスフレーム２０の側部とを覆うことが可能な大きさ及び形状を有するシート材であり、展張状態で屋根フレーム３０及び各庇フレーム４０に取り付けられるよう構成されている。
【００２９】
本実施形態に係る庇付き折り畳み式テント１は、各支柱１０の内側パイプ部材１２ｂを外側パイプ部材１２ａ内に略完全に収納させると共に横方向フレーム２０を略完全に収縮させ、かつ、庇フレーム本体４２の第１フレーム部材４２ａ及び第２フレーム部材４２ｂをそれぞれ略Ｉ字状に折り畳むと共に各庇用支持フレーム４４の内筒部材４４ｂを外筒部材４４ａ内に略完全に収納させて庇フレーム本体４２をテント本体４に対して折り畳むことにより、小型化させて持ち運ぶことが可能に構成されている。また、本実施形態に係る庇付き折り畳み式テント１は、設置箇所に持ち運んだ後、この逆の手順により組み立てることで、設置箇所において展開することが可能に構成されている。
【００３０】
以上のとおり、本実施形態に係る庇付き折り畳み式テント１は、庇フレーム４０が、一端部が一対の支柱１０の一方の上端部（テント本体用固定ブラケット１３ａ）に回動可能に取り付けられ、他端部が一対の支柱１０の他方の上端部（テント本体用固定ブラケット１３ａ）に回動可能に取り付けられた庇フレーム本体４２と、一対の支柱１０にそれぞれ設けられ、庇フレーム本体４２を支持する支持フレーム（庇用支持フレーム４４）とを備え、支持フレーム４４が、それぞれ、一端部が庇フレーム本体４２に回動可能に連結されると共に、他端部が支柱１０に回動可能に連結され、かつ、軸方向に沿って伸縮可能に構成されている。
【００３１】
そして、このような構成を有する庇付き折り畳み式テント１によれば、支持フレーム４４をその軸方向に沿って伸縮させることにより、庇フレーム本体４２の展開角度（傾斜角度）を自由に調整することが可能となるため、庇フレーム４０の展開及び展開角度の調整をテント本体４の展開と独立して行うことができる。また、このような庇フレーム４０の展開及び展開角度の調整を、支持フレーム４４をその軸方向に沿って伸縮させるという極めて簡単な操作のみで行うことが可能であるため、操作性が優れるという利点を有している。さらに、複数の庇フレーム４０のそれぞれについて、例えば日光の照射方向や風の影響等に応じて、互いに独立して展開及び展開角度の調整を行うことが可能であるため、利便性に優れるという利点を有している。
【００３２】
特に、本実施形態に係る庇付き折り畳み式テント１では、庇フレーム４０が一対の支柱１０間に架け渡されており、特許文献１の庇付き折り畳み式テント１００のように庇フレーム本体１１４の先端が開放端とされていないため、庇フレーム４０の強度を十分に確保することができるという利点を有する。
【００３３】
以上、本考案の好適な実施形態について説明したが、本考案の技術的範囲は、上述した実施形態に記載の範囲には限定されない。上記各実施形態には、多様な変更又は改良を加えることが可能である。
【００３４】
例えば、上述した実施形態では、支柱１０が４本設けられ、これら４本の支柱１０によって平面四方形状の収容空間が形成されるものとして説明したが、これに限定されず、３本の支柱１０によって平面三角形状の収容空間が形成されるとしても良いし、５本以上の支柱１０によって平面五角形以上の形状の収容空間が形成されるとしても良い。
【００３５】
上述した実施形態では、横方向フレーム２０がパンタグラフのように伸縮自在なトラスフレームであるものとして説明したが、これに限定されず、庇付き折り畳み式テント１を折り畳むことが可能な構成であれば、種々のフレーム構造を採用することが可能である。
【００３６】
上述した実施形態では、庇フレーム４０が左右一対設けられるものとして説明したが、これに限定されず、例えば、左右いずれか一方のみに設けられるとしても良いし、テント本体４の三方又は四方に設けられるとしても良い。
【００３７】
上述した実施形態では、庇フレーム本体４２が一対の支柱１０間に架け渡された略コ字状に形成されるものとして説明したが、これに限定されず、略Ｕ字状等の種々の形状に形成されるとしても良い。また、庇フレーム本体４２は、庇フレーム４０の展開及び展開角度の調整をテント本体４の展開と独立して行うことができる構成であれば、一対の支柱１０間に架け渡される構成に限定されず、各支柱１０にそれぞれ設けられる構成としても良い。
【００３８】
上述した実施形態では、外筒部材４４ａが各支柱１０の固定部材１２ｃに連結され、内筒部材４４ｂが庇フレーム本体４２に連結されるものとして説明したが、これに限定されず、外筒部材４４ａが庇フレーム本体４２に連結され、内筒部材４４ｂが各支柱１０の固定部材１２ｃに連結される構成としても良い。また、外筒部材４４ａ又は内筒部材４４ｂが、各支柱１０の固定部材１２ｃではなく、これとは別に各支柱１０に設けられた固定ブラケット等に連結される構成としても良い。さらに、庇用支持フレーム４４が外筒部材４４ａ及び内筒部材４４ｂからなる二重筒構造であるものとして説明したが、これに限定されず、軸方向に沿って伸縮可能な構成を有するものであれば、種々の構成を採用することが可能である。
【００３９】
上述した実施形態では、庇フレーム４０の傾斜状態として、図４（ａ）及び図４（ｂ）に示す２パターンの傾斜角度を例に挙げて図示したが、庇フレーム４０の傾斜角度は、これらの傾斜角度に限定されるものではなく、任意の傾斜角度に設定可能である。また、庇フレーム４０の傾斜角度は、多段階的に調整可能な構成としても良いし、無段階的に調整可能な構成としても良い。
【符号の説明】
【００４０】
１  庇付き折り畳み式テント、２  天幕、４  テント本体、１０  支柱、１２ａ  外側パイプ部材、１２ｂ  内側パイプ部材、１２ｃ  固定部材、１３ａ  テント本体用固定ブラケット、１３ｂ  テント本体用可動ブラケット、２０  横方向フレーム、２０ａ  上側端部、２０ｂ  下側端部、２１  フレーム体、２１ａ，２１ｂ  棒状フレーム、３０  屋根フレーム、３２  屋根フレーム本体、３２ａ，３２ｂ  棒状フレーム、３４  屋根用支持フレーム、４０  庇フレーム、４２  庇フレーム本体、４２ａ  第１フレーム部材、４２ｂ  第２フレーム部材、４３ａ  外側パイプ部材、４３ｂ  内側パイプ部材、４３ｃ  他端部、４４  庇用支持フレーム（支持フレーム）、４４ａ  外筒部材、４４ｂ  内筒部材、４４ｃ  固定部材
【図１】
0003209281.tif 000003
【図２】
0003209281.tif 000004
【図３】
0003209281.tif 000005
【図４】
0003209281.tif 000006
【図５】
0003209281.tif 000007
【図６】
0003209281.tif 000008